(57)【要約】【課題】巻ムラの発生を防止できるリールハブを提供する。【解決手段】テープの端部に固定されたリーダピンを保持するフック部２２が形成されたリーダブロック２が挿入される溝部１１を本体部１に備えたリールハブであって、溝部１１に挿入されるリーダブロック２と一端１２１が当接するように付勢された状態で回動自在に本体部１に支持されたレバー１２と、溝部１１を塞ぐ方向に付勢された状態で回動自在に本体部１に支持され、リーダブロック２が溝部へ非挿入時にはレバー１２の他端１２２によって回動が規制され、溝部１１を塞いだ際には本体部１と一体となって円筒面を形成する蓋１４とを有し、溝部１１へリーダブロック２を挿入した際に、リーダブロック２に押されてレバー１２が回動して、レバー１２の他端１２２が蓋１４から離れ、蓋１４の回動の規制が解除される。【選択図】図１
2010040138.tif 000002
【特許請求の範囲】
【請求項１】
テープの端部に固定されたリーダピンを保持するフック部が形成されたリーダブロックが挿入される溝部を本体部に備えたリールハブであって、
前記溝部に挿入される前記リーダブロックと一端が当接するように付勢された状態で回動自在に前記本体部に支持されたレバーと、
前記溝部を塞ぐ方向に付勢された状態で回動自在に前記本体部に支持され、前記リーダブロックが前記溝部へ非挿入時には前記レバーの他端によって回動が規制され、前記溝部を塞いだ際には前記本体部と一体となって円筒面を形成する蓋とを有し、
前記溝部へ前記リーダブロックを挿入した際に、該リーダブロックに押されて前記レバーが回動して、該レバーの他端が前記蓋から離れ、該蓋の回動の規制が解除されることを特徴とするリールハブ。
【請求項２】
前記蓋は、前記リーダピンに固定された前記テープの張力よりも弱い力で前記溝部を塞ぐ方向に付勢されていることを特徴とする請求項１記載のリールハブ。
【請求項３】
前記レバーによる回動の規制が解除された前記蓋は、前記テープと当接すると回動を停止し、リールの回転に伴って前記テープが巻き付いていくに従って徐々に完全に閉じることを特徴とする請求項２記載のリールハブ。
【請求項４】
前記レバーを付勢する第１のバネと、前記蓋を付勢する第２のバネとを有し、前記レバーの他端と前記蓋との接点に前記第１のバネが発生させるトルクは、該接点に前記第２のバネが発生させるトルクよりも大きいことを特徴とする請求項１から３のいずれか１項記載のリールハブ。
【請求項５】
前記第１のバネ及び前記第２のバネは弦巻バネであることを特徴とする請求項４記載のリールハブ。
【請求項６】
前記蓋は、前記本体部よりも剛性の高い材料で形成されていることを特徴とする請求項１から５のいずれか１項記載のリールハブ。
【発明の詳細な説明】
【技術分野】
【０００１】
本発明は、テープを巻き取るリールハブに関する。
【背景技術】
【０００２】
リールにテープの先端を固定する方法の一つとして、テープ端に設けられたリーダピンをリーダブロックのフック部に係合させ、これをリールハブに形成された溝部に挿入する方法がある。この方法では、リーダブロックがリールの胴の一部を構成する。
【０００３】
磁気テープ記録装置は、記録の高容量化と高速読み書きの実現とを目的として記録密度の向上、テープ長さの延長、走行速度の高速化が進められており、これらが実現すると、テープ長さは長くなりリールも高速で回転するようになる。テープ長さが長くなった場合はテープ厚さを薄くすることで全容量のテープ巻き付け直径の維持を図る。
【０００４】
テープが長くなることでテープがリールに巻き付く回数が増え、テープはリールに強く巻き付けられるようになり、巻き付けられたテープによってリーダブロックがリールハブの径方向に圧迫される。リーダブロックのフック部は片面が開放されているため、リーダブロックがリールハブの径方向に圧迫されると、図７に示すようにフックの開放側がリーダハブの溝部内に大きく押し込まれて、リーダブロックとリールハブとの境界部分に段差が生じる。
【０００５】
この段差は、図９に示すように、薄くなったテープ厚では特にテープ巻ムラの原因となり、テープ巻ムラはテープ走行速度のムラにもなり、かつ、高密度記録データの読み書きエラーの原因となる。
【０００６】
このような問題を解決することに関連する技術としては、特許文献１に開示される「リール」がある。特許文献１に開示される発明は、リールハブにゼンマイバネ状の蓋を配置し、その蓋の上からテープを巻き付けることにより、リーダブロックとリールハブとの境界部の段差を無くし、巻ムラの発生を抑えるものである。
【特許文献１】特開２００３−２０３４５９号公報
【発明の開示】
【発明が解決しようとする課題】
【０００７】
特許文献１に開示される発明は、無負荷時にはゼンマイバネは渦巻き型であり、テープが巻き付いて変形してリールハブに倣うことで円周形状を形成する。このため、ゼンマイバネが開こうとする力はテープを巻き付ける力よりも十分に小さくしなければならない。
【０００８】
しかし、ゼンマイバネの弾性が弱いと、無負荷時に自身の形状を維持することができず、図１０（ａ）に示すようにゼンマイバネがシワになったり、図１０（ｂ）に示すように先端部が垂れ下がったりした状態となってしまう。このような状態のままテープを巻き付けると、巻ムラの原因となる。
【０００９】
すなわち、特許文献１に開示される発明は、テープに巻ムラが発生することを抑えることのできる構造ではない。
【００１０】
本発明はかかる問題に鑑みてなされたものであり、巻ムラの発生を防止できるリールハブを提供することを目的とする。
【課題を解決するための手段】
【００１１】
本発明は、上記目的を達成するために、テープの端部に固定されたリーダピンを保持するフック部が形成されたリーダブロックが挿入される溝部を本体部に備えたリールハブであって、溝部に挿入されるリーダブロックと一端が当接するように付勢された状態で回動自在に本体部に支持されたレバーと、溝部を塞ぐ方向に付勢された状態で回動自在に本体部に支持され、リーダブロックが溝部へ非挿入時にはレバーの他端によって回動が規制され、溝部を塞いだ際には本体部と一体となって円筒面を形成する蓋とを有し、溝部へリーダブロックを挿入した際に、該リーダブロックに押されてレバーが回動して、該レバーの他端が蓋から離れ、該蓋の回動の規制が解除されることを特徴とするリールハブを提供するものである。
【発明の効果】
【００１２】
本発明によれば、巻ムラの発生を防止できるリールハブを提供できる。
【発明を実施するための最良の形態】
【００１３】
図１に、本発明を好適に実施したリールハブの構成を示す。ここでは構成の理解を容易とするためにアッパーフランジは省略して示している。本実施形態に係るリールハブは、リーダブロック２が挿入される溝部１１を本体部１に備えている。溝部１１の近傍にはレバー１２が配置されている。レバー１２は、リーダブロック２を溝部１１に挿入した際に一端１２１がリーダブロック２と接するように第１のバネ１３によって付勢されている。リーダブロック２が溝部１１に挿入されていない状態においては、レバー１２の他端１２２は第１のバネ１３の付勢力によって蓋１４に押し当てられており、蓋１４の回動を規制している。
【００１４】
蓋１４は、第２のバネ１５によって溝部１１を塞ぐ方向に付勢されている。第２のバネ１５の付勢力は第１のバネ１３の付勢力よりも弱くなっており（換言すると、レバー１２の他端１２２と蓋１４との接点に第１のバネ１３が発生させるトルクは、その点に第２のバネ１５が発生させるトルクよりも大きくなっており）、レバー１２の他端１２２が当接している状態では蓋１４は回動しない。また、第２のバネ１５の付勢力は、テープの張力よりも弱く設定されている。蓋１４の外側は円弧状となっており、溝部１１を塞いだ際には本体部１と一体となって段差のない円筒面を形成する。なお、蓋１４に本体部１よりも剛性の高い材料を用いることで、テープが巻き付いた際の変形を抑え、テープの巻ムラをより確実に防止できる。
【００１５】
第１のバネ１３及び第２のバネ１５としては任意形状のバネを適用可能であるが、図示するように弦巻バネを用いることによりレバー１２や蓋１４を所定の方向に安定して付勢することが可能である。
【００１６】
本体部１に挿入されるリーダブロック２は、本体部１に嵌合させるための支持部２１と、テープ端が固定されたリーダピンを保持するフック部２２とを有する。支持部２１はリーダブロック２を搬送する際にピンが挿入される穴を備えており、この穴はリーダブロック２を本体部１へ装着した際には、リールハブの軸心に位置する。なお、支持部２１及びフック部２２に関しては公知構造を適用可能であるため、これらについての詳細な説明は割愛する。
【００１７】
図２〜図７を用いて、リールハブの動きについて説明する。なお、以下の説明においては理解を容易とするために、アッパーフランジ及びロアーフランジは省略して示す。
図２に示すように、リーダブロック２が溝部１１へ挿入されていない状態においては、レバー１２の一端１２１は、リーダブロック２が挿入されると当接するように溝部１１の脇に配置されている。
【００１８】
図３に、溝部１１に挿入したリーダブロック２がレバー１２の一端１２１に当接した状態を示す。レバー１２は第１のバネ１３によって付勢されているため、リーダブロック２が接触しただけでは回動しない。
【００１９】
図４に、溝部１１に挿入したリーダブロック２がレバー１２の一端１２１を押し込んだ状態を示す。リーダブロック２がレバー１２を第１のバネ１３の付勢力に打ち勝って回動させると、レバー１２の他端１２２は蓋１４から離れる。これにより、蓋１４は回動可能な状態となるため、第２のバネ１５の付勢力によって溝部１１を塞ぐ方向に回動する。しかし、リーダブロック２から伸びるテープの張力が第２のバネ１５の付勢力よりも強いため、蓋１４がテープと接したところで回動が停止する。
【００２０】
図５に、リーダブロック２を溝部１１へ完全に挿入した状態を示す。リーダブロック２を本体部１の溝部１１へ完全に挿入すると、リーダブロック２の支持部２１の穴の中心とリールハブの軸心とが一致し、支持部２１の穴にピン等が挿入されたままの状態でもリールハブは回転可能となる。
【００２１】
図６に、本体部１をリーダブロック２とともに回転させた状態を示す。リールハブの回転に伴い、テープのリーダブロック２近傍の部分は徐々に本体部１に近づくため、蓋１４は徐々に閉まっていく。
【００２２】
図７に、本体部１をリーダブロック２とともにさらに回転させた状態を示す。テープのリーダブロック２近傍の部分が本体部１に接すると、蓋１４は完全に閉じた状態となる。この状態においては本体部１と蓋１４とが形成する段差のない円筒面がリールの胴となっている。このため、テープは巻ムラを生じることなくリールに巻き取られていく。したがって、リーダピンをフック部２２に係合させることによってテープの先端がリーダブロック２に固定されている場合でも、テープに巻ムラは生じない。
【００２３】
このように、本実施形態に係るリールハブは、巻ムラを生じさせることなくテープを巻き取ることが可能である。
【００２４】
なお、上記実施形態は本発明の好適な実施の一例であり、本発明はこれに限定されることはない。
例えば、上記実施形態においては、レバーや蓋を付勢するバネが弦巻バネである構成を例としたが、コイルバネなどを用いて付勢する構成であっても良い。
このように、本発明は様々な変形が可能である。
【図面の簡単な説明】
【００２５】
【図１】本発明の好適な実施の形態に係るリールハブの構成を示す図である。
【図２】リーダブロックを非挿入時のリールハブの状態を示す図である。
【図３】レバーに当接するまでリーダブロックを溝部に挿入した状態を示す図である。
【図４】溝部に挿入したリーダブロックによってレバーが押し込まれた状態を示す図である。
【図５】リーダブロックを溝部へ完全に挿入した状態を示す図である。
【図６】リーダブロックが挿入されたリールハブの本体部を回転させた状態を示す図である。
【図７】リーダブロックが挿入されたリールハブの本体部をさらに回転させた状態を示す図である。
【図８】従来のリーダブロックの構成を示す図である。
【図９】リーダブロックが変形したことにより、リールハブとの段差部分に巻ムラが生じた状態を示す図である。
【図１０】無負荷時にゼンマイバネが変形した状態を示す図である。
【符号の説明】
【００２６】
１    本体部
２    リーダブロック
１１    溝部
１２    レバー
１３    第１のバネ
１４    蓋
１５    第２のバネ
２１    支持部
２２    フック部
１２１    レバーの一端
１２２    レバーの他端
【図１】
2010040138.tif 000003
【図２】
2010040138.tif 000004
【図３】
2010040138.tif 000005
【図４】
2010040138.tif 000006
【図５】
2010040138.tif 000007
【図６】
2010040138.tif 000008
【図７】
2010040138.tif 000009
【図８】
2010040138.tif 000010
【図９】
2010040138.tif 000011
【図１０】
2010040138.tif 000012